(57)【特許請求の範囲】
【請求項１】
原稿面に照射した光の前記原稿面からの反射光を受光することによって原稿を読み取る原稿読み取り装置に使用される原稿読取用光源装置であって、前記原稿読取用光源装置は線状光源と、該線状光源に平行に並設された、複数の第１の焦点を含む直線状の第１の線状焦点群を通る複数の光軸を含む第１の光軸面および複数の第２の焦点を含む直線状の第２の線状焦点群を通る複数の光軸を含む第２の光軸面を有する棒状レンズと、前記棒状レンズの前記線状光源と反対側に前記棒状レンズと平行に且つ前記棒状レンズの前記第２の光軸面と交差する位置に並設された直線状リフレクタを具備し、前記直線状リフレクタで反射された前記第２の光軸面と前記第１の光軸面が交差する位置の近傍に前記第１の線状焦点群と前記第２の線状焦点群が位置することを特徴とする原稿読取用光源装置。
【請求項２】
前記第１の光軸面と前記直線状リフレクタで反射された前記第２の光軸面が交差する角度は、８０°〜１００°の範囲内であることを特徴とする請求項１に記載の原稿読取用光源装置。
【請求項３】
前記第１の線状焦点群と前記第２の線状焦点群の位置する距離は、２ｍｍ〜５ｍｍの範囲内であることを特徴とする請求項１または２のいずれか１項に記載の原稿読取用光源装置。
【請求項４】
前記棒状レンズを該棒状レンズの長手方向に垂直な面で切断したときの、前記線状光源に対向する側と反対側の面の断面形状が、前記棒状レンズを通る前記線状光源の第３の光軸を挟んだ両側に夫々前記線状光源と反対側に膨らんだ、連続する複数の異なる曲率半径の曲線からなる複合曲線であり、前記複合曲線同士の繋ぎ部分は前記第３の光軸に平行な直線であることを特徴とする請求項１〜３のいずれか１項に記載の原稿読取用光源装置。
【請求項５】
前記第１の光軸面と前記直線状リフレクタで反射される前の前記第２の光軸面のなす角は４０°であることを特徴とする請求項１〜４のいずれか１項に記載の原稿読取用光源装置。
【請求項６】
前記線状光源は、複数の白色ＬＥＤを直線状に配列してなることを特徴とする請求項１〜５のいずれか１項に記載の原稿読取用光源装置。
【請求項７】
前記原稿読取用光源装置は、前記棒状レンズの前記第１の光軸面および前記直線状リフレクタで反射された前記第２の光軸面が共に、前記原稿面の垂直面に対して４０°〜５０°の角度を保って前記原稿読み取り装置に前記線状光源の長手方向に垂直な方向に移動可能に取り付けられることを特徴とする請求項１〜６のいずれか１項に記載の原稿読取用光源装置。
【発明の詳細な説明】
【技術分野】
【０００１】
本発明は原稿読取用光源装置に関するものであり、詳しくは、スキャナー等の原稿読み取り装置の光源として使用する原稿読取用光源装置に関する。
【背景技術】
【０００２】
従来、例えば縮小光学系および密着式光学系スキャナー等における原稿の読み取りは、原稿画像上に所定の幅を有する線状光を走査照射し、その反射光または透過光をミラーやレンズで構成された光路を通して線状固体撮像素子（ラインＣＣＤ）に結像させ、線状固体撮像素子（ラインＣＣＤ）から出力された信号を処理することによって原稿画像を読み取るものである。
【０００３】
そのなかで、光源から出射した光が原稿画像上に照射されるまでの照射光学系として、従来、図７に示すような構成のものが提案されている。
【０００４】
それは、キャリッジ５０内にハロゲンランプ等の線状光源５１と該線状光源５１の近傍に配置されたリフレクタ５２を収容し、光源５１からの直接光と光源５１から出射してリフレクタ５２で反射された反射光を集光させてコンタクトガラス５３を透過して原稿画像５４上に照射し、原稿画像５４で反射されてコンタクトガラス５３を透過した光を同様にキャリッジ５０内に収容されたミラー５５を介してラインＣＣＤに至る光路に導入するものである（例えば、特許文献１参照。）。
【０００５】
上記構成の原稿画像読取方法は、原稿画像上に照射される線状光の光量変動２０％以内に収まる幅をラインＣＣＤの結像領域の幅の１．５倍以上とし、光学的稼動部（キャリッジ）の取り付け精度の誤差や稼動（走査）時の振動等による照射位置の位置ずれが生じても原稿画像上のラインＣＣＤの結像領域内における光量変動を抑えることができる、というものである。
【特許文献１】特開平１１−２７４５８号公報
【発明の開示】
【発明が解決しようとする課題】
【０００６】
ところで、上述の原稿画像読取方法では、光源５１から発せられた光は直接コンタクトガラス５３を透過して原稿画像５４上に至る第１の光路と、リフレクタ５２で反射されて反射光がコンタクトガラス５３を透過して原稿画像５４上に至る第２の光路との２つの光路に分離される。
【０００７】
このとき、光源５１に広指向性を有するハロゲンランプを使用し、且つ光源５１の近傍にリフレクタ５２を配置して集光効果を図っているが、第１の光路を辿って原稿画像５４上に至る光の光量に対して、第２の光路を辿って原稿画像５４上に至る光の光量は少ない。
【０００８】
従って、原稿画像５４上に照射される線状光の幅方向の稼動方向（副走査方向）の照度分布が不均一となり、原稿画像５４の読み取りにむらが生じる。
【０００９】
また、広指向性の光源は原稿画像５４の読み取りに寄与しない光（光損失）が多く、光源光の利用効率が良くない。そのため、ハロゲンランプと比較して極めて全光束の少ないＬＥＤ光源によってハロゲンランプと同等の照射光量を得ようとすると、非常に多くのＬＥＤ光源を必要とする。
【００１０】
このような問題を解決するために、コンタクトガラスの下方に２本のハロゲンランプを平行に並設し、コンタクトガラスの上方の原稿画像に両ハロゲンランプからの対称光を照射することによって照射光の照度分布を良好なものにしようとしたものがある。
【００１１】
この場合は、光学的に良好な照度分布は得られるが光源に２本のハロゲンランプを使用するために材料費が嵩み、製造コストを上昇させる要因となる。
【００１２】
そこで、本発明は上記問題に鑑みて創案なされたもので、その目的とするところは、光利用効率が良好で原稿画像に対して照度が高く且つ照度分布が良好な光を照射することが可能な原稿画像読取光源を低コストで提供することにある。
【課題を解決するための手段】
【００１３】
上記課題を解決するために、本発明の請求項１に記載された発明は、原稿面に照射した光の前記原稿面からの反射光を受光することによって原稿を読み取る原稿読み取り装置に使用される原稿読取用光源装置であって、前記原稿読取用光源装置は線状光源と、該線状光源に平行に並設された、複数の第１の焦点を含む直線状の第１の線状焦点群を通る複数の光軸を含む第１の光軸面および複数の第２の焦点を含む直線状の第２の線状焦点群を通る複数の光軸を含む第２の光軸面を有する棒状レンズと、前記棒状レンズの前記線状光源と反対側に前記棒状レンズと平行に且つ前記棒状レンズの前記第２の光軸面と交差する位置に並設された直線状リフレクタを具備し、前記直線状リフレクタで反射された前記第２の光軸面と前記第１の光軸面が交差する位置の近傍に前記第１の線状焦点群と前記第２の線状焦点群が位置することを特徴とするものである。
【００１４】
また、本発明の請求項２に記載された発明は、請求項１において、前記第１の光軸面と前記直線状リフレクタで反射された前記第２の光軸面が交差する角度は、８０°〜１００°の範囲内であることを特徴とするものである。
【００１５】
また、本発明の請求項３に記載された発明は、請求項１または２のいずれか１項において、前記第１の線状焦点群と前記第２の線状焦点群の位置する距離は、２ｍｍ〜５ｍｍの範囲内であることを特徴とするものである。
【００１６】
また、本発明の請求項４に記載された発明は、請求項１〜３のいずれか１項において、前記棒状レンズを該棒状レンズの長手方向に垂直な面で切断したときの、前記線状光源に対向する側と反対側の面の断面形状が、前記棒状レンズを通る前記線状光源の第３の光軸を挟んだ両側に夫々前記線状光源と反対側に膨らんだ、連続する複数の異なる曲率半径の曲線からなる複合曲線であり、前記複合曲線同士の繋ぎ部分は前記第３の光軸に平行な直線であることを特徴とするものである。
【００１７】
また、本発明の請求項５に記載された発明は、請求項１〜４のいずれか１項において、前記第１の光軸面と前記直線状リフレクタで反射される前の前記第２の光軸面のなす角は４０°であることを特徴とするものである。
【００１８】
また、本発明の請求項６に記載された発明は、請求項１〜５のいずれか１項において、前記線状光源は、複数の白色ＬＥＤを直線状に配列してなることを特徴とするものである。
【００１９】
また、本発明の請求項７に記載された発明は、請求項１〜６のいずれか１項において、前記原稿読取用光源装置は、前記棒状レンズの前記第１の光軸面および前記直線状リフレクタで反射された前記第２の光軸面が共に、前記原稿面の垂直面に対して４０°〜５０°の角度を保って前記原稿読み取り装置に前記線状光源の長手方向に垂直な方向に移動可能に取り付けられることを特徴とするものである。
【発明の効果】
【００２０】
本発明は、本発明は線状光源から放出された光を導光する棒状レンズの光出射面の断面形状を、線状光源の光軸Ｘを含む面を挟んだ両側に夫々光源と反対側に膨らんだ、連続する複数の異なる曲率半径の曲線からなる複合曲線とした。
【００２１】
その結果、原稿面上の焦点領域における照度分布が均一なものとなった。
【００２２】
また、光軸Ｘを含む面を挟んだ両側の複合曲線同士の繋ぎ部分をＬＥＤの光軸Ｘを含む面に平行な直線とした。
【００２３】
その結果、レンズ内における導光損失が少なくて光の利用効率が高く、原稿面への照射光量が多い原稿読取用光源装置となった。
【００２４】
また、レンズの２つの光軸の互いになす角を４０°とし、原稿読み取り装置に取り付けるにあたって原稿面の垂線と一方の光軸のなす角を４５°とした。
【００２５】
その結果、原稿面で反射された反射光を検知するラインＣＣＤにおいて、読取光に対するノイズ光の検知量が少なく、Ｓ／Ｎ比の高い原稿読取用光源装置が実現できた。
【００２６】
更に、上記効果は棒状レンズの形状を最適化することによって実現されたものであり、低コストの方法により実現したものである。
【発明を実施するための最良の形態】
【００２７】
以下、この発明の好適な実施形態例を図１〜図６を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２８】
本発明の画像読取用光源装置は、複数のＬＥＤを直線状に配置した線状光源を備えている。個々のＬＥＤはその放出光が光の三原色を構成する赤色光、緑色光、および青色光の波長成分を含むスペクトルを有する白色ＬＥＤである。
【００２９】
白色ＬＥＤの具体的な構成は、青色光を発光する青色ＬＥＤ素子（チップ）を発光源とする場合、青色ＬＥＤ素子と、青色光に励起されて赤色光に波長変換する赤色蛍光物質と、同様に青色光に励起されて緑色光に波長変換する緑色蛍光物質で構成される。
【００３０】
これにより、青色ＬＥＤ素子から出射された青色光が赤色蛍光物質および緑色蛍光物質を励起することによって波長変換された赤色光および緑色光と、青色ＬＥＤ素子から出射された青色光との加法混色によって白色光を得ることができる。
【００３１】
また、紫外光を発光する紫外ＬＥＤ素子（チップ）を発光源とする場合、紫外ＬＥＤ素子と、紫外光に励起されて赤色光に波長変換する赤色蛍光物質と、同様に紫外光に励起されて緑色光に波長変換する緑色蛍光物質と、同様に紫外光に励起されて青色光に波長変換する青色蛍光物質とで構成される。
【００３２】
これにより、紫外ＬＥＤ素子から出射された紫外光が赤色蛍光物質、緑色蛍光物質および青色蛍光物質を励起することによって波長変換された赤色光、緑色光および青色光の加法混色によって白色光を得ることができる。
【００３３】
また、赤色光を発光する赤色ＬＥＤ素子（チップ）と、緑色光を発光する緑色ＬＥＤ素子（チップ）と青色光を発光する青色ＬＥＤ素子の組み合わせを発光源とする場合、蛍光物質は不用となる。
【００３４】
これにより、赤色ＬＥＤ素子、緑色ＬＥＤ素子および青色ＬＥＤ素子の夫々から出射した赤色光、緑色光および青色光の加法混色によって白色光を得ることができる。
【００３５】
さらに、青色光を発光する青色ＬＥＤ素子（チップ）を発光源とし、青色光に励起されて黄色光に波長変換する黄色蛍光物質とにより形成される白色ＬＥＤを用いてもよい。この場合でも、白色光に赤色光、緑色光の波長成分を有するものであるため、使用することが可能である。
【００３６】
上記いずれの構成の白色ＬＥＤ１も、レンズ等の集光手段を設けない場合の指向半値角は一般的に約１２０°となる（図１参照）。
【００３７】
そして、図２の断面図に示すように、ＬＥＤ線状光源（以下、光源と略称する）２を構成する個々のＬＥＤ１の光軸Ｘ（以下、光軸Ｘと略称する）上に棒状レンズ（以下、レンズと略称する）３が該光源２に平行に並設されている。レンズ３は、レンズ３を該レンズ３の長手方向に垂直な面で切断したときの断面が以下のような形状を呈している。
【００３８】
まず、レンズ３の光源２に対向する側の面４の断面は光源２側に膨らんだ湾曲線４ａとなっている。また、光源２に対向する側と反対側の面５の断面は、光軸Ｘを含む面を挟んだ両側に夫々光源２と反対側に膨らんだ、連続する複数の異なる曲率半径の曲線からなる複合曲線５ａ、５ｂとなっており、光軸Ｘを含む面を挟んだ両側の複合曲線５ａ、５ｂ同士の繋ぎ部分の面６は光軸Ｘを含む面に平行な面（断面形状としては光軸Ｘを含む面に平行な直線６ａ）となっている。
【００３９】
そして、光源２を構成するＬＥＤ１から放出されてレンズ３の光源２に対向する側の面４の光軸Ｘを挟んだ一方の側の面（以下、光入射面７ａと呼称する）に到った光は、光入射面７ａで屈折されてレンズ３の光源２に対向する側と反対側の面５の光軸Ｘを挟んだ前記光入射面７ａと同じ側の面（以下、光出射面８ａと呼称する）に向かう。
【００４０】
同様に、光源２を構成するＬＥＤ１から放出されてレンズ３の光源２に対向する側の面４の光軸Ｘを挟んだ他方の側の面（以下、光入射面７ｂと呼称する）に到った光は、光入射面７ｂで屈折されてレンズ３の光源２に対向する側と反対側の面５の光軸Ｘを挟んだ前記光入射面７ｂと同じ側の面（以下、光出射面８ｂと呼称する）に向かう。
【００４１】
レンズ３の各光入射面７ａ、７ｂから各光出射面８ａ、８ｂに向かう光はレンズ３内を導光されて光出射面８ａ、８ｂに至り、夫々光出射面８ａ、８ｂで屈折されてレンズ３外に出射される。このとき、レンズ３の光軸Ｘを挟んだ両光出射面８ａ、８ｂは夫々到達した光が外部に出射されるときに所定の方向に集光するような形状とされており、その集光方向はＬＥＤ１の光軸Ｘを挟んでＬＥＤ１の発光点Ｐを通り互いの交角αが４０°となる光軸Ｌａ方向と光軸Ｌｂ方向となっているのが望ましい。
【００４２】
但し、この交角αは後述するコンタクトガラス上の光学特性を満足させるために４０°を基準として微調整が施されることもある。
【００４３】
なお、レンズ３の光出射面８ａ、８ｂ同士の繋ぎ部分の面６は光軸Ｘを含む面に平行な面となっており、ＬＥＤ１から放出されてレンズ３内に入射し、レンズ３内を導光されて光出射面８ａ、８ｂの繋ぎ部近傍に到った光はその繋ぎ部分で反射（全反射）されることなく到達した光のほとんどがレンズ３外に出射される。よって、導光損失の少ないレンズ形状となっている。
【００４４】
それに対し図３に示すように、レンズ３の光出射面８ａ、８ｂ同士の繋ぎ部分の面と到達する光の光路とのなす角が臨界角以上である場合、到達した光がその部分で反射（全反射）されて光路が所定の方向からずれてしまい、導光損失の大きいレンズとなってしまう。特に光出射面８ａ、８ｂ同士の繋ぎ部分は到達する光の光束密度が大きい領域であり、この部分での導光損失によって全体の光量のうち多く割合の光量を失うことになる。
【００４５】
本実施形態は図４の断面図に示すように、上述した白色ＬＥＤ１、棒状レンズ３およびＬＥＤ１とレンズ３の位置関係を備えた構成となっている。具体的には、基板９上に複数の白色ＬＥＤ１を直線状に実装してなる線状光源２を金属等の熱伝導の良好な部材からなる放熱体１０に取り付け、線状光源２の上方に棒状レンズ３が配設されている。
【００４６】
そして、光源２とレンズ３が取り付けられた放熱体１０および直線帯板状のリフレクタ１１を収容したキャリッジ１２がコンタクトガラス１３の下方に、該コンタクトガラス１３面に平行に且つ線状光源２の長手方向に垂直な方向に移動可能に支持されている。このとき、光源２およびレンズ３が取り付けられた放熱体１０はＬＥＤ１の光軸Ｘと原稿１４面となす角βが２５°になるように設定されている。
【００４７】
そして上記構成において、ＬＥＤ１から放出されてレンズ３の光軸Ｘを挟んだコンタクトガラス１３側に位置する光入射面７ａからレンズ３内に入射した光Ｌ１は、レンズ３内を導光されて同じくレンズ３の光軸Ｘを挟んだコンタクトガラス１３側に位置する光出射面８ａからレンズ３の外部に出射されて光軸Ｌａに向かって進み、コンタクトガラス１３を透過して原稿１４面に焦点を結ぶ。
【００４８】
また、ＬＥＤ１から放出されてレンズ３の光軸Ｘを挟んだコンタクトガラス１３と反対側に位置する光入射面７ｂからレンズ３内に入射した光Ｌ２は、レンズ３内を導光されて同じくレンズ３の光軸Ｘを挟んだコンタクトガラス１３と反対側に位置する光出射面８ｂからレンズ３の外部に出射されて光軸Ｌｂに向かって進み、光軸Ｌｂの進行方向に配置されたリフレクタ１１で反射されて反射光がコンタクトガラス１３を透過して原稿１４面に焦点を結ぶ。なお、本実施形態では、リフレクタ１１を直線帯板状、即ち細長い平板状のものとして説明を行なったが、これに変えて長手方向には直線であり、この長手方向に直交する方向を凹形状とした直線凹形状とし、これによりリフレクタ１１に集光機能等を備えるものとしてもよい。
【００４９】
そして、ＬＥＤ１から発せられてレンズ３およびコンタクトガラス１３を進む光路を辿って原稿１４面に焦点を結んだ直接光Ｌ１と、ＬＥＤ１から発せられてレンズ３、リフレクタ１１およびコンタクトガラス１３を進む光路を辿って原稿１４面に焦点を結んだ反射光Ｌ２とが原稿１４面上に近接して照射され、その反射光Ｌ１２が読取光学系（図示せず）を介してラインＣＣＤによって検出される。
【００５０】
原稿１４面に到達する直接光Ｌ１および反射光Ｌ２の焦点位置は、コンタクトガラス１３面に平行に且つ線状光源２の長手方向に垂直な方向において２ｍｍ〜５ｍｍの領域内となるように設定されている。
【００５１】
上述の構成では原稿１４面の垂線と光軸Ｌａのなす角θは４５°となるが角θは４５°に限られるものではなく、４０°〜５０°の範囲が望ましい。その場合は光軸Ｌａと光軸Ｌｂがなす角αが４０°であることから、ＬＥＤ１の光軸Ｘと原稿１４面のなす角βは３０°〜２０°の範囲となる。
【００５２】
なお、リフレクタ１１の位置を調整することによってリフレクタ１１で反射された光Ｌ２と原稿１４面の垂線のなす角γも角θと同様に４０°〜５０°の範囲であることが望ましい。これにより、原稿１４面に焦点を結ぶ直接光と反射光の光量バランスの均衡が図られ、焦点位置内での照度分布が均一化できる。この状態を確保するには、角θと角γが共に４０°〜５０°の範囲で同じ角度となることが最も望ましい。
【００５３】
図５は比較例１の断面図を示している。比較例１は上述の実施形態と構成部材を同一とし、レンズ３の光出射面８ａ、８ｂの形状を変えて集光方向を光軸Ｘを挟んでＬＥＤ１の発光点Ｐを通り互いになす角αが広角の６０°となる光軸Ｌａ上と光軸Ｌｂ上となるように設定したことが異なる。また、ＬＥＤ１の光軸Ｘと原稿１４面となす角βを１５°に設定したことが異なる。
【００５４】
上記２点の差異によって、光軸Ｌａと光軸Ｌｂのなす角αが広角となったために光軸Ｌｂの方向が原稿１４と反対側に向き、レンズ３から出射して光軸Ｌｂ方向に向かう光が読取光学系に侵入し、ラインＣＣＤでは原稿１４での反射光以外の光ノイズとなってＳ／Ｎ比を低下させることになる。
【００５５】
この場合、原稿１４面の垂線と光軸Ｌａおよび光軸Ｌｂの夫々のなす角θを４０°〜５０°の範囲で調整し、ＬＥＤ１の光軸Ｘと原稿１４面のなす角βを２０°〜１０°としても不具合は解決しない。
【００５６】
図６は比較例２の断面図を示している。比較例２は上述の実施形態と構成部材を同一とし、レンズ３の光出射面８ａ、８ｂの形状を変えて集光方向を光軸Ｘを挟んでＬＥＤ１の発光点Ｐを通り互いになす角αが狭角の２０°となる光軸Ｌａ上と光軸Ｌｂ上となるように設定したことが異なる。また、ＬＥＤ１の光軸Ｘと原稿１４面となす角βを３５°に設定したことが異なる。
【００５７】
上記２点の差異によって、光軸Ｌａと光軸Ｌｂのなす角αが狭角となったためにレンズ３から出射して光軸Ｌｂ方向に向かう光を反射するリフレクタ１１を原稿１４面上に結ぶ焦点に近づく位置に配置する必要が生じる。そのため、リフレクタ１１が原稿１４面からの反射光の進路を遮ることになり、読取光学系に導入される、原稿１４で反射された反射光の光量が低減し、ラインＣＣＤでは検出される信号レベルが低下する。この場合も、上記比較例１と同様にＳ／Ｎ比を低下させることになる。
【００５８】
この場合も、原稿１４面の垂線と集光軸Ｌａのなす角θを４０°〜５０°の範囲で調整し、ＬＥＤ１の光軸Ｘと原稿１４面のなす角βを４０°〜３０°としても不具合は解決しない。
【００５９】
以上説明したように、本発明は複数のＬＥＤを直線状に配置してなる線状光源から放出された光を導光する棒状レンズの光出射面の断面形状を、ＬＥＤの光軸Ｘを含む面を挟んだ両側に夫々光源と反対側に膨らんだ、連続する複数の異なる曲率半径の曲線からなる複合曲線とすることによってレンズ内を導光されてＬＥＤの光軸Ｘを含む面を挟んだ両側の光出射面に到達した光を夫々レンズの光軸Ｌａ、Ｌｂ方向に集光するようにした。
【００６０】
その結果、原稿面上に結ぶ、光軸Ｌａ、Ｌｂ上の２つの焦点における光量は互いにほとんど等しいものとなり、原稿面上の焦点領域内の照度分布が均一なものとなった。
【００６１】
また、光軸Ｘを含む面を挟んだ両側の複合曲線同士の繋ぎ部分の面をＬＥＤの光軸Ｘを含む面に平行な面（断面形状としては光軸Ｘを含む面に平行な直線）とした。
【００６２】
その結果、レンズ内における導光損失が少なくて光の利用効率が高く、原稿面への照射光量が多い原稿読取用光源装置となった。
【００６３】
また、レンズの２つの光軸の互いになす角を４０°とし、原稿読み取り装置に取り付けるにあたって原稿面の垂線と一方の光軸のなす角を４５°とした。
【００６４】
その結果、原稿面で反射された反射光を検知するラインＣＣＤにおいて、読取光に対するノイズ光の検知量が少なく、Ｓ／Ｎ比の高い原稿読取用光源装置が実現できた。
【００６５】
更に、上記効果は棒状レンズの形状を最適化することによって実現されたものであり、低コストの方法により実現したものである。
【図面の簡単な説明】
【００６６】
【図１】本発明の実施形態に使用する線状光源を構成するＬＥＤの指向特性である。
【図２】本発明の実施形態に係わる線状光源と棒状レンズの関係を示す断面図である。
【図３】本発明の実施形態に使用する棒状レンズの部分断面図である。
【図４】本発明の実施形態を装置に取り付けた状態を示す説明図である。
【図５】比較例１を装置に取り付けた状態を示す説明図である。
【図６】比較例２を装置に取り付けた状態を示す説明図である。
【図７】従来例を示す説明図である。
【符号の説明】
【００６７】
１    ＬＥＤ
２    ＬＥＤ線状光源
３    棒状レンズ
４    面
４ａ    湾曲線
５    面
５ａ    複合曲線
５ｂ    複合曲線
６    面
６ａ    直線
７ａ    光入射面
７ｂ    光入射面
８ａ    光出射面
８ｂ    光出射面
９    基板
１０    放熱体
１１    リフレクタ
１２    キャリッジ
１３    コンタクトガラス
１４    原稿
【図１】
0005087337.tif 000002
【図２】
0005087337.tif 000003
【図３】
0005087337.tif 000004
【図４】
0005087337.tif 000005
【図５】
0005087337.tif 000006
【図６】
0005087337.tif 000007
【図７】
0005087337.tif 000008